(57)【要約】【課題】握りやすく、無臭であり、やわらかく弾力性に富んだ引っ張りにも強く破断しにくい、更に、繰り返しの使用にも十分に耐久性のある安全性の高い、手軽に使用できる補助筋力をアップする為の引っ張り鍛錬用のトレーニング用弾性ベルトを提供することにある。【解決手段】扁平な形状に形成されたベルト状の熱可塑性軟質コンパウンドであって、硬度が５〜２０、且つ延び率が１，５００％以上であることを特徴とするトレーニング用弾性ベルトとする。【選択図】　図１
2004049282.tif 000002
【特許請求の範囲】
【請求項１】
扁平な形状に形成されたベルト状の熱可塑性軟質コンパウンドであって、硬度が５〜２０、且つ伸び率が１，５００％以上であることを特徴とするトレーニング用弾性ベルト。
【請求項２】
ベルト断面の上下面が平坦で両側面が外側に湾曲した曲面形状をなすことを特徴とする請求項１に記載のトレーニング用弾性ベルト。
【発明の詳細な説明】
【０００１】
【発明の属する技術分野】
本発明は、トレーニング用弾性ベルトに係り、更に詳しくは、握りやすく、無臭であり、弾力性に富み、引っ張りにも強く破断しにくい、安全性の高い補助筋力アップの為の引っ張り鍛錬用のトレーニング用弾性ベルトに関する。
【０００２】
【従来の技術】
従来から身体鍛錬のために各種の機器や用具が使用されている。例えば、室内型のトレーニング機器として自転車漕ぎ運動を行うトレーニングマシーン、ランニングマシーン、バーベル、ダンベル、腹筋台等がある。また、スプリングやゴムなどの弾性部材を使用し、単純な往復直線運動や往復回転運動により筋肉をつける機器もある。
前記した機器はトレーニングセンターのような専門の施設に設置されるものだけでなく、家庭用のものもあるが、高価でスペースをとるため一般の人が手軽に購入して使用できるというものではない。また、これらの機器や用具は主に、大胸筋や広背筋、腹筋、上腕二頭筋、大腿筋などの大きな筋肉を鍛える為に使用され、肩や腕、足などの小さい筋肉（以下、小筋肉という）を鍛えるためには不充分である。
筋肉のうち前記した小筋肉を鍛えることは、スポーツ選手の各競技の障害予防のために重要視されており、また寝たきりや高齢のために筋力が低下するのを抑えるためにも必要とされている。そこで、小筋肉を鍛えるために、また安価で、手軽に家庭でも使用できる用具としてゴム性のラバーバンドやチューブなどが使用されており、ゴムの伸縮性を利用してトレーニングがなされている。
【０００３】
【発明が解決しようとする課題】
しかしながら、従来の筋力トレーニングのために使用されているラバーバンドやチューブは、時間の経過と共に可塑剤が硬化していくため引っ張りに弱く、弾力も低下してくるため破断しやすく、経時的に安全性も低下するといった問題があった。
本発明は上記問題点に鑑みてなされたものであって、握りやすく、無臭であり、弾力性に富んだ引っ張りに強く破断しにくい、更に繰り返しの使用にも十分に耐久性のある安全性の高い補助筋力アップのための引っ張り鍛錬用のトレーニング用弾性ベルトを提供することを課題とする。
【０００４】
【課題を解決するための手段】
すなわち本発明のうち請求項１に係る発明は、扁平な形状に形成されたベルト状の熱可塑性軟質コンパウンドであって、硬度が５〜２０、且つ伸び率が１，５００％以上であることを特徴とするトレーニング用弾性ベルトに関する。
請求項２に係る発明は、ベルト断面の上下面が平坦で両側面が外側に湾曲した曲面形状をなすことを特徴とする請求項１に記載のトレーニング用弾性ベルトに関する。
【０００５】
【発明の実施の形態】
以下、本発明に係るトレーニング用弾性ベルトについて、図面を参照しつつ説明する。
図１は本発明に係るトレーニング用弾性ベルト（１）を巻いた状態を示す斜視図であり、図２は該トレーニング用弾性ベルト（１）の断面図を示す。また、図３及び図４は該トレーニング用弾性ベルト（１）を使用したトレーニング方法の例を示す。
【０００６】
本発明に係るトレーニング用弾性ベルト（以下、単に弾性ベルトという）は、図１に示すように、扁平な形状に形成されたベルト状の熱可塑性軟質コンパウンドであって、硬度が５〜２０、好ましくは７〜１２、且つ伸び率が１，５００％以上であることを特徴とする。硬度が５より小さいと該弾性ベルトが柔らかくなりすぎて身体鍛錬のために適度なトレーニングを行うことができないため好ましくなく、２０より大きいと寝たきりの人や高齢の人にとってはトレーニング自体が苦になり継続して行うことが難しいため好ましくない。また、伸び率が１，５００％以上であるので、トレーニングの引っ張りにも強く破断しにくい。
【０００７】
該弾性ベルトの断面は図２に示すように、上下面が平坦で両側面が外側に湾曲した曲面形状をなす。該弾性ベルトの両側面を曲面とし、角をなくすことで、握った時に手にフィットし、また繰り返しの屈曲でもベルトが破断しにくくなる。
ベルト断面の厚さ及び幅の長さとしては特に限定されないが、厚さ（Ｌ１）が５〜３０ｍｍ、好ましくは約１０ｍｍ、幅（Ｌ２）が３０〜７０ｍｍ、好ましくは約４０ｍｍとなるようにする。厚さが５ｍｍより薄いと引っ張った時に弾性ベルトが細くなるため手から滑り抜けてしまうおそれがあるので好ましくなく、３０ｍｍより厚いと太すぎて握りにくく、小筋肉を鍛えるのには適さないため好ましくない。また、幅が３０ｍｍより短い場合も、引っ張った時に手から滑り抜けるおそれがあるため好ましくなく、７０ｍｍより長いと手の大きさに合わないため、効果的に鍛えたい筋肉をトレーニングすることができないため好ましくない。
【０００８】
尚、本発明に好ましく用いられる熱可塑性軟質コンパウンドの市販品として、例えば、ＫＴＹ−１００（商品名、株式会社クラレ製）、ＫＴＹ−１００−Ｂ（商品名、株式会社クラレ製）、ＫＴＹ−１１０−Ａ（商品名、株式会社クラレ製）等を例示することができる。
【０００９】
また、本発明に係るトレーニング用弾性ベルトは、手に握った時に手のひらに合った太さであるため、握力鍛錬にも適している。また、該弾性ベルトは、その表面に微細の凹凸があり手に吸着するので滑ることがなく、手に触った後のべたつきがない。
【００１０】
以下、本発明に係るトレーニング用弾性ベルトについて、実施例１乃至３として、硬度を７、１０、１２として作成した弾性ベルトの物性を表１に示す。
【００１１】
【表１】
2004049282.tif 000003
（＊１：試験機の容量内では、破断に至らなかった）
【００１２】
表１からもわかるように、本発明に係るトレーニング用弾性ベルトは硬度が５〜２０であるため、非常に柔らかく、弾性力がある。また伸び率が１，５００％以上であるため伸縮性に優れている。引っ張り強さに関しては、試験機の容量内では破断することがなかったため、耐引っ張り性はすばらしく優れたものであるということがわかる。また、比重が１より小さいため軽量であり、温度変化に対する硬さの変化もないため、温度変化の影響を受けることがない。
【００１３】
本発明に係るトレーニング用弾性ベルトの使用方法としては、特に限定されないが、例えば、図３に示すように任意の長さの該弾性ベルトの端を固定し、もう片方を握るか体の一部に固定して繰り返し引っ張ることで鍛えたい部分の筋肉を鍛えることができる。また、図４に示すように任意の長さの該弾性ベルトの両端を握って伸び縮みさせることもできる。また、該弾性ベルトの端を又は該弾性ベルトを手のひらの大きさに合うように切り分けて握り、手の握力をつけることもできる。
【００１４】
また、該弾性ベルトを１本で用いても良く、２本以上を重ねて使用することもできる。２本以上で使用する場合、強度が増すため、トレーニングのレベルを上げて筋肉を鍛えることができる。
【００１５】
該弾性ベルトは任意の長さに切り分けて使用することができるため、携帯用として持ち運びに便利であり、巻くとコンパクトになるため収納場所を取らない。
【００１６】
更に、該弾性ベルトは、水洗いが可能であり、耐水性にも優れているため水洗いによってベルトの弾力、伸び率が低下することはない。
【００１７】
本発明に係るトレーニング用弾性ベルトは、本発明の主旨であるスポーツをする人や寝たきりの人、高齢の人等が筋肉を鍛える目的として使用するだけでなく、介護用、クッション材、保護材等の様々な用途の使用することができる多機能なベルトである。
【００１８】
【発明の効果】
以上詳述した如く、請求項１に係る発明は、扁平な形状に形成されたベルト状の熱可塑性軟質コンパウンドであって、硬度が５〜２０、且つ伸び率が１，５００％以上であることを特徴とするトレーニング用弾性ベルトであるので、無臭であり弾力性に富み、引っ張りにも強く破断しにくい、繰り返しの使用にも十分に耐久性があるトレーニング用弾性ベルトを提供することができる。
【００１９】
請求項２に係る発明は、ベルト断面の上下面が平坦で両側面が外側に湾曲した曲面形状をなすことを特徴とする請求項１に記載のトレーニング用弾性ベルトであるので、外部からの衝撃を吸収しやすく、破断しにくい、安全性の高い補助筋力アップのための引っ張り鍛錬用のトレーニング用弾性ベルトを提供できると共に、コンパクトに巻き取ることができ、場所をとらず収納や持ち運びに便利であり、また手に握った時に調度良い太さであるため握力鍛錬にも効果的に使用できる。
【図面の簡単な説明】
【図１】本発明に係るトレーニング用弾性ベルトの斜視図である。
【図２】本発明に係るトレーニング用弾性ベルトの断面図である。
【図３】本発明に係るトレーニング用弾性ベルトを使用したトレーニングの例を示す図である。
【図４】本発明に係るトレーニング用弾性ベルトを使用したトレーニングの例を示す図である。
【符号の説明】
１　　　　　トレーニング用弾性ベルト
Ｌ１　　　　トレーニング用弾性ベルトの厚さ
Ｌ２　　　　トレーニング用弾性ベルトの幅
【図１】
2004049282.tif 000004
【図２】
2004049282.tif 000005
【図３】
2004049282.tif 000006
【図４】
2004049282.tif 000007